(57)【要約】【課題】ターボ分子ポンプのシール構造において、動圧ねじシール部に隣接して固定クリアランスシール部を併設すると共に該固定クリアランスシール部においてプロセスガスが液化又は固化を起こさないようにして、シール性能の優れたターボ分子ポンプのシール構造を提供する。【解決手段】ハウジングの静止部材５に係方向の搖動可能に嵌入したブッシュ６と、該ブッシュ６の内周部に僅少の間隙を有して回動自在に挿通するジャーナル軸部１ａと、該ジャーナル軸部１ａの外周部に凹設されたヘリングボーン形溝１ｂ及びねじ溝１ｃｔからなる動圧ねじシール部Ｓを形成し、更に該動圧ねじシール部Ｓに隣接して固定クリアランスシール７とロータ２の柄部２ａとからなる固定クリアランスシール部を配置すると共に該固定クリアランスシール７を断熱性を有するパッキン７ａを介して前記静止部材５に係着した。【選択図】        図１
2004162533.tif 000002
【特許請求の範囲】
【請求項１】
ターボ分子ポンプのハウジングの静止部材に回転軸を回動自在に軸支すると共に該回転軸の軸端部をターボ分子ポンプのロータの柄部に嵌着して固定した構造のターボ分子ポンプにおいて、前記ハウジングの静止部材に径方向の揺動可能に嵌入した円筒状のブッシュと、該ブッシュの内周部に僅少の間隙を有して回動自在に該内周部を挿通する前記回転軸のジャーナル軸部とを有して、該ジャーナル軸部の外周部又は該ブッシュの内周部にヘリングボーン形の溝とシール用のねじ溝とを凹設して動圧ねじシール部を形成すると共に該動圧ねじシール部に隣接して孔明き円板状体からなる固定クリアランスシール部を併設し、更に該孔明き円板状体は前記ハウジングの静止部材に断熱材を介して係着する構造としたことを特徴とするターボ分子ポンプのシール構造。
【請求項２】
前記固定クリアランスシール部は前記孔明き円板状体の内周部に僅少の間隙を有して前記ロータの柄部が該内周部を挿通する構造に形成した請求項１に記載のターボ分子ポンプのシール構造。
【発明の詳細な説明】
【０００１】
【発明の属する技術分野】
本発明は、腐食性を有するガスや凝縮し易いガス等を含んだプロセスガスの排気に好適なターボ分子ポンプのシール構造に関する。
【０００２】
【従来の技術】
この種のターボ分子ポンプのシール構造として、出願人は先に図２の如くころがり軸受ａを介して回転軸ｂを支承しているターボ分子ポンプｃにおいて、該ターボ分子ポンプのハウジングの静止部材ｄに径方向の搖動可能に嵌入された円筒状のブッシュｅと、該ブッシュｅの内周部に僅少の間隙を有して回動自在に該内周部を挿通した前記回転軸ｂの一部のジャーナル軸部ｆとからなり、該ジャーナル軸部ｆの外周部にヘリングボーン形溝ｇを回転方向に向かってヘの字状に開いた形状に多数等間隔に凹設し、更に前記ジャーナル軸部ｆの外周部に前記ヘリングボーン形溝ｇに隣接して斜め方向のねじ溝ｈを多数等間隔に凹設して動圧ねじシール部ｉを形成したターボ分子ポンプのシール構造を提案した（例えば特許文献１参照。）。
【０００３】
尚、ｋは多数の翼を有するターボ分子ポンプのロータを示す。
【０００４】
図３は前記動圧ねじシール部ｉの詳細図を示し、前記静止部材ｄの端面部に前記回転軸ｂと同心に係着した孔明き円板状の蓋板ｍによって前記ブッシュｅの軸方向の位置決めが行なわれている。
【０００５】
尚、ｐ及びｑはそれぞれ弾性を有するＯリングで、前記ブッシュｅを揺動可能に支承している。
【０００６】
【特許文献１】
特願２０００−３４００８６号
【０００７】
【発明が解決しようとする課題】
しかしながら、前記構造のターボ分子ポンプの静止部材ｄは一般に低温に保たれており、このため、蓋板ｍや静止部材ｄの低温部の外周でプロセスガスが凝縮して液化、固化し、こうして生じた液や粉が前記動圧ねじシール部ｉの隙間に侵入して、固着や損傷等を引き起こすことがあるという問題があった。
【０００８】
本発明はこれらの問題点を解消し、従来の動圧ねじシール部にプロセスガスの液化又は固化した液や粉が浸入しないようなシール性能の優れたターボ分子ポンプのシール構造を提供することを目的とする。
【０００９】
【課題を解決するための手段】
本発明は上記の目的を達成すべく、ターボ分子ポンプのハウジングの静止部材に回転軸を回動自在に軸支すると共に該回転軸の軸端部をターボ分子ポンプのロータの柄部に嵌着して固定した構造のターボ分子ポンプにおいて、前記ハウジングの静止部材に径方向の揺動可能に嵌入した円筒状のブッシュと、該ブッシュの内周部に僅少の間隙を有して回動自在に該内周部を挿通する前記回転軸のジャーナル軸部とを有して、該ジャーナル軸部の外周部又は該ブッシュの内周部にヘリングボーン形の溝とシール用のねじ溝とを凹設して動圧ねじシール部を形成すると共に該動圧ねじシール部に隣接して孔明き円板状体からなる固定クリアランスシール部を併設し、更に該孔明き円板状体は前記ハウジングの静止部材に断熱材を介して係着する構造としたことを特徴とする。
【００１０】
【発明の実施の形態】
本発明のターボ分子ポンプのシール構造の１実施の形態を図１により説明する。
【００１１】
図１は本実施の形態のターボ分子ポンプの一部縦断面図であり、１は回転軸、２はターボ分子ポンプのロータを示す。尚、図１ではロータ２の翼部分は省略されている。
【００１２】
回転軸１は、その軸端部をロータ２の一端面の中央部の突状部即ち柄部２ａに嵌着して、取付けボルト３によって両者を締結している。
【００１３】
１ａは前記回転軸１の一部、ジャーナル軸部を示し、該ジャーナル軸部１ａは前記回転軸１の一部を少許大径に膨出して形成され、その１例端面部に前記ロータ２の柄部２ａの側端面を当接させている。
【００１４】
該ジャーナル軸部２の外周部には、ヘリングボーン形溝１ｂが回転方向に向かってヘの字状に開いた形状に多数等間隔に凹設されており、又、該ヘリングボーン形溝１ｂに隣接して該ジャーナル軸部２の外周部の前記ロータ２寄りの位置に、ねじ溝１ｃが多数等間隔に凹設されている。
【００１５】
尚、該ねじ溝１ｃは、ジャーナル軸部２ａの回転に伴って前記ロータ２側から前記ヘリングボーン形溝１ｂに向かって気体を移動させるようなねじの傾斜方向を有している。
【００１６】
４はターボ分子ポンプのハウジングの一部の第１静止部材を示し、前記回転軸１はころがり軸受４ａを介して回動自在に該第１静止部材４に軸支されている。
【００１７】
５は第２静止部材で、該第２静止部材５は円筒状部５ａとその下端部から突設した鍔部５ｂとからなり、前記回転軸１と同心に、該鍔部５ｂにおいて前記第１静止部材に係着されている。
【００１８】
６は円筒状のスリーブで、該スリーブ６は前記第２静止部材５の円筒状部５ａに径方向の微小な搖動可能に嵌入している。そして該スリーブ６の内部を、該スリーブ６の内周部に僅少の間隙を有して前記ロータ２のジャーナル軸部２ａが挿通して、動圧ねじシール部Ｓを形成している。
【００１９】
該動圧ねじシール部Ｓに隣接して、固定クリアランスシール部が設けられている。即ち、ドーナツ状の孔明き円板状体からなる固定クリアランスシール７が断熱性を有するパッキン７ａを介して前記第２静止部材５の他端部即ち前記円筒状部５ａの上端部に断熱的に係着されており、又、該固定のクリアランスシール７の内周部を前記ロータ２の柄部２ａの外周部が該内周部に僅少の間隔を有して挿通する構造となっている。
【００２０】
又、固定クリアランスシール７に設けられたボルト孔７ｂは、該固定クリアランスシールを第２静止部材５の円筒状部５ａに締着するボルト７ｃの軸径よりも少許大に形成されており、このため該固定クリアランスシール７の内周部と前記ロータ２の柄部２ａの外周部とが同心となるように、該固定クリアランスシール７の取付け位置を少許移動させて微調整をすることが可能となっている。
【００２１】
尚、８ａはＯリングであり、該Ｏリング８ａは弾力性を有する材料からなる。
【００２２】
次に本実施の形態の作用及び効果について説明する。
【００２３】
図１に示すターボ分子ポンプのシール構造は、上部のロータ２のある真空側と、下方のころがり軸受４ａのある大気圧側との間を軸封する目的で設けられている。
【００２４】
先ず、動圧ねじシール部Ｓの作用について説明する。
【００２５】
回転軸１が高速回転すると、該回転軸１の一部をなすジャーナル軸部１ａにおいて、ヘリングボーン形溝１ａにより発生する動圧がスリーブ６を該スリーブ６の内周部側から押圧して、該スリーブ６の内周部と前記ジャーナル軸部１ａの外周部との間隙が所定値以内となるように作用する。
【００２６】
又、前記ヘリングボーン形溝１ａの隣りにはねじ溝１ｃがあって、ヘリングボーン形溝１ａにある気体がロータ２の側へ漏洩しないようなねじシールとして作用する。
【００２７】
更に前記動圧ねじシール部Ｓに隣接して設けられている固定クリアランスシール部は、固定クリアランスシール７の内周部とロータ２の柄部２ａの外周部との間の狭い間隙によって軸封効果を有している。このため固定クリアランスシール７を越えて動圧ねじシール部Ｓに流入するプロセスガスの流量が減少する。
【００２８】
尚、Ｏリング８ａは、前記スリーブ６の外周部を通過したプロセスガス等が転がり軸受４ａ側へ漏洩したり、又はその逆コースを辿って転がり軸受４ａ側の気体が前記ロータ２側へ漏洩したりするのを防止する作用をする。
【００２９】
又、前記固定クリアランスシール７は第２静止部材５に断熱的に係止されているので、低温の第２静止部材よりも高温のロータ２からのラジェーションや、該ロータ２の柄部２ａとの間の気体の摩擦熱等によって高温に保たれている。
【００３０】
このため前記固定クリアランスシール７の部分でプロセスガスが凝縮をして固化あるいは液化が発生することはなく、従って動圧ねじシール部Ｓの固着や損傷も防止される。
【００３１】
【発明の効果】
このように本発明によれば、動圧ねじシール部に併設した固定クリアランスシール部におけるプロセスガスの固化あるいは液化を防止して、シール性能の優れたターボ分子ポンプのシール構造を提供できる効果を有する。
【図面の簡単な説明】
【図１】本発明のターボ分子ポンプのシール構造の一実施の形態の一部縦断面図である。
【図２】従来のシール構造を有するターボ分子ポンプの一例の縦断面図である。
【図３】前記従来のシール構造の一部縦断面図である。
【符号の説明】
１      回転軸
１ａ    ジャーナル軸部
１ｂ    ヘリングボーン形溝
１ｃ    ねじ溝
２ａ    ロータの柄部
４、５  静止部材
６      ブッシュ
７      固定クリアランスシール
７ａ    断熱材（パッキン）
Ｓ      動圧ねじシール部
【図１】
2004162533.tif 000003
【図２】
2004162533.tif 000004
【図３】
2004162533.tif 000005